(57)【特許請求の範囲】
【請求項１】
回転ドラムの一方に、骨材を取入れる取入口を、他方に、骨材を取出す取出口を有する一方、バーナ装置で生成された熱風を燃焼筒を介して、前記取入口内へ送り込むようにした舗装骨材の加熱装置において、燃焼筒内の熱風の一部を、送風機を備えたバイパス通路を介して取出し前記取入口から回転ドラムの内部下方へ向けて吹き出すようにしたことを特徴とする舗装骨材の加熱装置。
【発明の詳細な説明】
【０００１】
【発明の属する技術分野】
この発明は、舗装骨材の加熱装置に関する。
【０００２】
【従来の技術】
一般に、舗装骨材の加熱装置の概要は、水平位置から所定角度傾斜した回転ドラムの上昇端側に、骨材を取入れる取入口が、下降端側に、骨材を取出す取出口がそれぞれ設けられている。取入口から送り込まれた骨材は、回転ドラム内を回転しながら下降傾斜側となる取出口へ向けて移動する間に、熱風によって加熱が行なわれる。
【０００３】
熱風はバーナ装置で生成され、回転ドラム内に送り込まれる構造となっている。
【０００４】
【発明が解決しようとする課題】
バーナ装置によって熱風が送り込まれる回転ドラムにあっては、径が大きく、長いこともあって、回転ドラム内を流れる熱風の内、高温の熱風は回転ドラム内の上半部をおもに流れる。このために、回転ドラム内の温度分布は、回転ドラムの上半分が高温域，下半分が低温域に分かれる特有の現象が起きる。
【０００５】
この現象は、構造上避けて通れない問題となっており、早急な対応が求められていたものである。この偏った温度分布の現象は、骨材の加熱むらを招くと共に、十分な加熱が得られない等の不具合があった。
【０００６】
そこで、この発明は、簡単な工夫によって回転ドラム内の全領域にわたってほぼ均一な温度分布が得られるようにした舗装骨材の加熱装置を提供することを目的としている。
【０００７】
【課題を解決するための手段】
前記目的を達成するために、この発明の請求項１によれば、回転ドラムの一方に、骨材を取入れる取入口を、他方に、骨材を取出す取出口を有する一方、バーナ装置で生成された熱風を燃焼筒を介して、前記取入口内へ送り込むようにした舗装骨材の加熱装置において、燃焼筒内の熱風の一部を、送風機を備えたバイパス通路を介して取出し前記取入口から回転ドラムの内部下方へ向けて吹き出すようにしたことを特徴とする。
【００１１】
これにより、バーナ装置で生成された熱風は、燃焼筒を介して回転ドラムの取入口内へ送り込まれる。同時に燃焼筒を流れる熱風の一部は送風機を備えたバイパス通路によって取出され、回転ドラム内の低温域となる内部下方へ向けて吹出されると共に攪拌混合されて、回転ドラム内において、ほぼ均一な温度分布が得られるようになる。
【００１２】
この結果、効率のよい骨材の加熱が行なわれる。
【００１５】
【発明の実施の形態】
以下、図面を参照しながらこの発明の第１〜第３の実施形態について具体的に説明する。
【００１６】
図１において、１は加熱装置３の回転ドラムを示している。回転ドラム１は水平位置より所定角度傾斜した前後に長い傾斜姿勢となっていて、外周面には前後一対のガイドリング５（片側は図示していない）が設けられている。ガイドリング５は、駆動ローラとなる支持ローラ７によって回転自在に支持され、支持ローラ７は駆動モータ９によって回転動力が与えられるようになっている。
【００１７】
傾斜姿勢の回転ドラム１の上昇端側は、骨材を取入れる取入口１１、下降端側は取出口１３となっている。取出口１３側には上方へ向かって延びる排気筒１５が設けられると共に、取出口１３から取出された骨材は図外のミックスドラムによってアスファルト等と攪拌混合され、トラック等によって現場へ搬送されるようになっている。
【００１８】
回転ドラム１の取入口１１側には、燃焼筒１７と骨材エレベータ１９の投入口２１が臨んでいる。
【００１９】
燃焼筒１７は、ほぼ垂直な形状で、前記回転ドラム１の取入口１１が回転自在に接続連通している。
【００２０】
燃焼筒１７の下端部は、回転ドラム１の下方へ延長された屈曲筒部１７ａとなっていて屈曲筒部１７ａには、前記回転ドラムと並列に配置されたバーナ装置２３によって生成された熱風が送り込まれるようになっいる。
【００２１】
骨材エレベータ１９の投入シュート２１は、前記燃焼筒１７を貫通し回転ドラム１の取入口１１内に先端部２１ａが臨む形状となっていて、骨材エレベータ１９によって送り上げられた骨材は、投入シュート２１から回転ドラム１１の取入口１１内へ投入されるようになっている。
【００２２】
さらに、回転ドラム１の取入口１１には、燃焼筒１７からの熱風の一部を、回転ドラム１の内部下方へ向けて誘導案内する熱風誘導案内板２５が設けられている。
【００２３】
熱風誘導案内板２５は、下方が開放された断コ字状に形成され、基端が前記燃焼筒１７の背壁面に固着されると共に、円弧を描いて回転ドラム１内に臨む形状となっている。回転ドラム１内に臨む延長端は、自由端となっていて、回転ドラム１の回転に何等支障が起きないようになっている。
【００２４】
このように構成された舗装骨材の加熱装置３によれば、骨材エレベータ１９の投入シュート２１から回転ドラム１の取入口１１内に投入された骨材は、回転ドラム１内を回転しながら、取出口１３へ向かって流れる間にバーナ装置２３で生成された熱風を浴びて加熱されるようになる。
【００２５】
この時、回転ドラム１内には熱風誘導案内板２５によって熱風の一部が誘導され、低温域となる内部下方へ向けて送り込まれるため、回転ドラム１内は、ほぼ均一な温度分布となり、効率よく骨材を加熱することができる。
【００２６】
この場合、図２に示すように、回転ドラム１の取出口１３側に回転ドラム１の上半分を塞ぐ遮蔽板２７を設けるようにしてもよい。
【００２７】
これにより、高温の熱風が排気筒１５内へストレートで流れるのを阻止して、回転ドラム１内の取出口１３の領域内に溜めを作ることが可能となり、さらに効率のよい骨材の加熱が期待できる。
【００２８】
図３は、加熱装置３の第２の実施形態を示したものである。
【００２９】
即ち、燃焼筒１７と並列に、バーナ装置２３で生成した熱風の一部を取出すバイパス通路２９を設ける。バイパス通路２９内には送風機３１を設ける一方、回転ドラム１の内部下方へ向けて熱風を吹出すバイパス通路２９のバイパス通路吹出口３３を、回転ドラム１の取入口１１側に臨ませる構造とするものである。
【００３０】
なお、他の構成要素は第１の実施形態と同一のため同一符号を付して詳細な説明を省略する。
【００３１】
したがって、この第２の実施形態によれば、送風機３１によってバーナ装置２３で生成した熱風を、回転ドラム１の低温域となる内部下方へ向けて強制的に吹出す。これにより、燃焼筒１７から送り込まれる熱風と攪拌混合される結果、回転ドラム１内は、ほぼ均一な温度分布となり、効率よく骨材を加熱することができる。
【００３２】
図４は、加熱装置の第３の実施形態を示したものである。
【００３３】
図４において、３５は対流式の加熱装置３の回転ドラムを示している。回転ドラム３５は水平位置より所定角度傾斜した前後に長い傾斜姿勢となっていて、外周面には前後１対のガイドリング３７（片側は図示していない）が設けられている。ガイドリング３７は、駆動ローラとなる支持ローラ３９によって回転自在に支持され、支持ローラ３９は駆動モータ４１によって回転動力が与えられるようになっている。傾斜姿勢の回転ドラム３５の上昇端側は骨材取入口４３，下降端は骨材取出口４５となっている。
【００３４】
骨材取入口４３には上方へ向かって延びる排気筒４７が設けられると共に、骨材取出口４５から取り出された骨材は図外のミックスドラムによってアスファルト等と攪拌混合され、トラック等によって現場へ搬送されるようになっている。
【００３５】
回転ドラム３５の骨材取出口４５側には、燃焼筒４９が臨んでいる。燃焼筒４９は、前記回転ドラム３５が回転自在に接続連通している。燃焼筒４９は、バーナ装置５１で生成された熱風が直接送り込まれるようになっている。骨材取入口４３には、骨材搬送用ベルトコンベア５３によって回転ドラム３５内に骨材が投入されるようになっている。骨材搬送用ベルトコンベア５３によって回転ドラム３５内に投入された骨材は回転ドラム３５内を通過する間に、燃焼筒４９を介して送り込まれる熱風によって加熱され、骨材取出口４５から図外のミックスドラムへ投下される。
【００３６】
骨材取出口４５には、回転ドラム３５の内部下方へ向けて熱風の一部を誘導案内する熱風誘導案内板５５が設けられている。熱風誘導案内板５５は、下方が開放された断面コ字状に形成され、基端側が前記燃焼筒４９に固着されている。先端は円弧を描いて回転ドラム３５内に臨む自由端となっていて、回転ドラム３５の回転に支障が起きないようになっている。
【００３７】
したがって、第３の実施形態によれば、バーナ装置５１で生成された熱風の一部は、熱風誘導案内板５５によって誘導され、回転ドラム３５の低温域となる内部下方へ向けて送り込まれる。これにより、回転ドラム３５内は上半部及び下半部において、ほぼ均一な温度分布となり、効率よく骨材を加熱することかできる。
【００３８】
【発明の効果】
以上、説明したように、この発明の舗装骨材の加熱装置によれば、回転ドラムの低温域となる内部下方へ向けて熱風を送り込むことができるため、回転ドラム内をほぼ均一な温度分布にすることができるようになり、骨材を効率よく加熱することができる。
【図面の簡単な説明】
【図１】この発明にかかる舗装骨材の加熱装置を示した概要切断面図。
【図２】回転ドラムの取出口側に遮蔽板を設けた要部の説明図。
【図３】舗装骨材の加熱装置の第２の実施形態を示した概要切断面図。
【図４】舗装骨材の加熱装置の第３の実施形態を示した概要切断面図。
【符号の説明】
１  回転ドラム
１１  取入口
１２  取出口
１７  燃焼筒
２３  バーナ装置
２５  熱風誘導案内板
【図１】
0004279428.tif 000002
【図２】
0004279428.tif 000003
【図３】
0004279428.tif 000004
【図４】
0004279428.tif 000005